(57)【要約】【課題】包装袋の開封時に破断片をより確実に切り離すことができる包装袋の提供。【解決手段】対向する第１辺から第２辺まで開封される包装袋であって、第２辺に連続したコーナーに、傾斜シール部５を備え、傾斜シール部５は、当該傾斜シール部５の内縁５０に沿って、傾斜シール部の他の部分よりも高い押圧力をかけて押圧された、傾斜シール部５の他の部分の肉厚よりも薄い肉厚を有する強圧シール帯７を有する。【選択図】図１
2020055588.tif 000002
【特許請求の範囲】
【請求項１】
対向する第１辺から第２辺まで開封される包装袋であって、
前記第２辺に連続したコーナーに、傾斜シール部を備え、
傾斜シール部は、当該傾斜シール部の内縁に沿って、前記傾斜シール部の他の部分よりも高い押圧力をかけて押圧された、前記傾斜シール部の他の部分の肉厚よりも薄い肉厚を有する強圧シール帯を有する
ことを特徴とする、包装袋。
【請求項２】
前記包装袋は、前記第１辺及び第２辺がそれぞれシールされ、
前記第１辺に易開封部が形成され、前記易開封部から収納部を通り前記第２辺まで開封されるパウチであり、
前記傾斜シール部の内縁は、前記易開封部から開封方向に延びる開封仮想直線と斜めに交差している、
ことを特徴とする、請求項１記載の包装袋。
【請求項３】
前記強圧シール帯の内縁に沿って、押圧により前記強圧シール帯から押し出されたシーラント樹脂が溜まった内縁側突条部を有し、
前記強圧シール帯の外縁において、前記包装袋の肉厚が、前記強圧シール帯から、前記傾斜シール部の当該強圧シール帯の外縁に隣接する部分へ、段差なく連続的に移行している
ことを特徴とする、請求項１又は２記載の包装袋。
【請求項４】
請求項１記載の包装袋の前記強圧シール帯を形成するために前記強圧シール帯を押圧する押圧面を有する押圧部材であって、
前記押圧面は、
前記強圧シール帯の内縁に隣接する部分を押圧する平坦部と、
前記平坦部に連続して設けられ、前記平坦部から離れるに従って前記平坦部よりも後退する傾斜部とを有する
ことを特徴とする、押圧部材。
【請求項５】
前記押圧面の延在方向に直交する断面において、前記傾斜部は、楕円の全周の一部分の断面形状を有し、
前記平坦部と前記傾斜部との境界において、前記楕円の短軸が前記平坦部と直交する
ことを特徴とする、請求項４記載の押圧部材。
【請求項６】
対向する第１辺から第２辺まで開封される包装袋の製造方法であって、
前記第２辺に連続したコーナーをヒートシールして、前記コーナーに傾斜シール部を形成するコーナーシール工程と、
前記傾斜シール部の内縁に沿った部分を、押圧部材によって、前記傾斜シール部の他の部分よりも高い押圧力をかけて押圧して、前記傾斜シール部の他の部分よりも肉厚が薄い強圧シール帯を形成する強圧シール工程と
を有することを特徴とする、包装袋の製造方法。
【請求項７】
前記強圧シール工程において、前記押圧部材によって前記強圧シール帯をヒートシールする
ことを特徴とする、請求項６記載の包装袋の製造方法。
【請求項８】
前記強圧シール工程において、ヒートシールされた前記傾斜シール部の温度がシーラント樹脂の荷重たわみ温度よりも高い状態で、押圧部材によって、前記傾斜シール部の他の部分よりも高い押圧力をかけて押圧して強圧シール帯を形成する
ことを特徴とする、請求項６記載の包装袋の製造方法。
【請求項９】
前記押圧部材は、前記強圧シール帯を形成するために前記強圧シール帯を押圧する押圧面を有し、
前記押圧面は、
前記強圧シール帯の内縁に隣接する部分を押圧する平坦部と、
前記平坦部に連続して設けられ、前記平坦部から離れるに従って前記平坦部よりも後退する傾斜部と、
を有することを特徴とする、請求項６〜８のいずれか一項に記載の包装袋の製造方法。
【発明の詳細な説明】
【技術分野】
【０００１】
本発明は、包装袋、包装袋の製造方法、及び押圧部材に係り、より詳細には、コーナーに傾斜シール部を備えた包装袋、その製造方法、及び包装袋の製造に用いる押圧部材に関する。
【背景技術】
【０００２】
近年、レトルトパウチのように内容物を収容した包装袋が広く利用されている。かかる包装袋の多くは、上部シール部に近い部分を一方のサイドシール部から他方のサイドシール部まで手指で引き裂くことによって開封される。そのため、多くの包装袋のサイドシール部には、ノッチや切り込みのような易開封部が形成されている。
【０００３】
レトルトカレーのような粘稠性の内容物が収容された包装袋を開封する際には、包装袋を端から端まで引き裂くだけでなく、引き裂いた破断片が切り離されることが望ましい。破断片が切り離されずに残ると、内容物を取り出す際に、破断片に付着している内容物が手に付着してしまうことがある。また、切れ残った破断片を無理に引き千切ろうとすると、その弾みで破断片に付着していた内容物が周囲に飛び散ってしまうことがある。
【０００４】
図６及び図７に、従来の包装袋を開封する様子を示す。従来例の包装袋は、表フィルム１０１ａと裏フィルム１０１ｂとを重ね合わせ、左右のサイドシール部１０２、１０４、トップシール部１０６、及びボトムシール部１０８により四方をヒートシールした平パウチである。図６及び図７に示す例では、左側のサイドシール部１０２のノッチ１１０から右側のサイドシール部１０４まで包装袋を開封する。破断片１００が右側へ移動するにつれて、表フィルム１０１ａ及び裏フィルム１０１ｂを引き裂いた破断線１１０ａ及び１１０ｂが右側のサイドシール部１０４へ向かって形成されていく。
【０００５】
左右のサイドシール部１０２及び１０４の間の収納部では、図７（ａ）に示すように、表フィルム１０１ａの破断線１１０ａと裏フィルム１０１ｂの破断線１１０ｂとが上下にずれることが多い。その結果、破断線１１０ａと破断線１１０ｂは、右側のサイドシール部１０４の内縁１０４ａ上で互いに異なる位置にしばしば到達する。
【０００６】
さらに、図７（ｂ）に、図７（ａ）中の破線Ｃで囲まれた部分の拡大図を示す。サイドシール部１０４の内縁１０４ａ上において、表フィルム１０１ａの破断線１１０ａの到達点Ｐａと、裏フィルム１０１ｂの破断線１１０ｂの到達点Ｐｂとは、間隔Ｗだけ離れている。到達点Ｐａ及びＰｂから更にサイドシール部１０４を引き裂くためには、この間隔Ｗの幅でサイドシール部１０４の融着部分を引き剥がす必要がある。しかし、サイドシール部１０４を引き剥がしつつ破断させるには大きな力を必要とするため、破断片１００を切り離すことが困難な場合が少なくない。
【０００７】
そこで、破断片を容易に切り離すことができる包装袋の一例が、特許文献１に記載されている。特許文献１には、開封終端側シール部が傾斜内縁を有する包装袋が開示されている。この包装袋の開封時には、表フィルムの破断線と裏フィルムの破断線とが傾斜内縁上で合流して、開封終端側シール部の領域を進む。その結果、開封終端側シール部を小さな剪断力で引き裂くことができるので、包装袋の破断片を容易に切り離すことができる。
【先行技術文献】
【特許文献】
【０００８】
【特許文献１】特開２０１６−２０３９９０号公報
【発明の概要】
【発明が解決しようとする課題】
【０００９】
ところで、レトルトパウチのような包装袋の表フィルム及び裏フィルムは、それぞれ多軸延伸積層フィルムから構成されており、破断線は、フィルムの配向方向に沿って進行し易い傾向がある。このため、開封方向の軸線を０度と規定したフィルムの配向角が小さいと容易に切り離すことが可能となることや、配向角が大きいと表フィルム又は裏フィルムの破断線が、図８に示す傾斜シール部の直線状の内縁１０５や、同図に破線で示す曲線の傾斜内縁１０７に沿って進行せず、包装袋の破断線を容易に切り離すことが困難となることがあった。
【００１０】
本発明は、上記の事情に鑑みてなされたものであり、包装袋の開封時に破断片をより確実に切り離すことができる包装袋、包装袋の製造方法、及び押圧部材を提供することを目的としている。
【課題を解決するための手段】
【００１１】
本発明の包装袋は、対向する第１辺から第２辺まで開封される包装袋であって、前記第２辺に連続したコーナーに、傾斜シール部を備え、傾斜シール部は、当該傾斜シール部の内縁に沿って、前記傾斜シール部の他の部分よりも高い押圧力をかけて押圧された、前記傾斜シール部の当該強圧シール帯以外の部分の肉厚よりも薄い肉厚を有する強圧シール帯を有することを特徴としている。
【００１２】
また、本発明の押圧部材は、請求項１記載の包装袋の前記強圧シール帯を形成するために前記強圧シール帯を押圧する押圧面を有する押圧部材であって、前記押圧面は、前記強圧シール帯の内縁に隣接する部分を押圧する平坦部と、前記平坦部に連続して設けられ、前記平坦部から離れるに従って前記平坦部よりも後退する傾斜部とを有することを特徴としている。
【００１３】
また、本発明の包装袋の製造方法は、対向する第１辺及び第２辺をヒートシールした包装袋の製造方法であって、前記第２辺に連続したコーナーをヒートシールして、前記コーナーに傾斜シール部を形成するコーナーシール工程と、前記傾斜シール部の内縁に沿った部分を、押圧部材によって、前記傾斜シール部の他の部分よりも高い押圧力をかけてヒートシールして、前記傾斜シール部の他の部分よりも肉厚が薄い強圧シール帯を形成する強圧シール工程とを有することを特徴としている。
【発明の効果】
【００１４】
本発明によれば、傾斜シール部の内縁に沿って強圧シール帯を形成する。これにより、包装袋の開封時に、破断線が強圧シール帯の内縁に沿ってより確実に誘導され、表側フィルムの破断線と裏側フィルムの破断線とが強圧シール帯の内縁上で合流する。その結果、包装袋の開封時に破断片をより確実に切り離すことができる。
【図面の簡単な説明】
【００１５】
【図１】本発明の実施形態に係る包装袋の正面図である。
【図２】本発明の実施形態に係る包装袋の開封する際の破断線の誘導を説明
【図３】（ａ）〜（ｄ）は、シールバーの断面模式形状とシール部の断面図である。
【図４】本発明のシールバーの断面形状の模式図であり、（ａ）〜（ｃ）は、シールバーの押圧面が平坦部（フラット）のみから構成された押圧部材を示し、（ｄ）〜（ｆ）は、シールバーの押圧面が平坦部（フラット）と楕円形状とから構成された押圧部材を示す。
【図５】本発明の第２実施形態に係る包装袋の変則的な開封状態を説明する正面図である。
【図６】従来例の包装袋の開封状態を示す正面図である。
【図７】（Ａ）は、従来例の包装袋の開封状態を示す正面図であり、（Ｂ）は、（Ａ）中の破線Ｃで囲まれた部分の拡大図である。
【図８】従来例の包装袋の正面図である。
【発明を実施するための形態】
【００１６】
（包装袋）
以下、図面を参照して本発明の包装袋の実施形態を説明する。
図１に、本発明の第１実施形態に係る包装袋１の正面図を示す。この包装袋１は、表フィルム１ａと裏フィルム１ｂとを重ね合わせた平パウチである。
表フィルム１ａ及び裏フィルム１ｂは、例えば、ポリオレフィン層上にナイロン層を積層した積層フィルムである。
なお、表フィルム１ａ及び裏フィルム１ｂには、熱溶着可能な種々の材料及び構成を採用することができる。例えば、表フィルム１ａ及び裏フィルム１ｂは、熱溶着可能な熱可塑性樹脂からなる単層フィルムにより構成してもよいし、溶着面をシーラント樹脂（ヒートシール性樹脂）とする積層フィルムにより構成してもよい。積層フィルムは、中間層としてアルミニウム層のようなバリア層を設けた積層構造としてもよいし、表層にバリア層を設けた積層構造としてもよい。また、積層フィルムは、樹脂層を基材としてもよいし、紙を基材としてもよい。
【００１７】
包装袋１には、第１辺としてヒートシールされた開封始端側シール部２と、第１辺に対向する第２辺としてのヒートシールされた開封終端側シール部４とが形成され、さらに、開封口形成予定側を上側として、上端縁のトップシール部６が形成されている。
これらのシール部２，４，６で囲まれた収納部３には、例えば、底部より内容物が充填され、内容物充填後、底部（下端縁）を熱溶着してボトムシール部を形成することによって、内容物が密封包装される。
【００１８】
開封終端側シール部４に連続したコーナーには、傾斜シール部５が形成されている。傾斜シール部５の内縁５０は、開封始端側シール部２に形成された易開封部１０から開封方向に延びる開封仮想直線１２と斜めに交差する。
なお、開封仮想直線１２は、開封始端側シール部２に形成された切込みの易開封部１０から開封終端側のシール部４に向けて開封するときに、易開封部１０よりも上側の、破断片となる部分が手指で引っ張られる開封方向に沿った直線である。本実施形態のように、包装袋の外縁が実質的に長方形を有する場合には、図１に示すように、開封仮想直線１２は対称軸線１１と直交し、トップシール部６の直線状の下縁６ａと平行に延在する。
【００１９】
傾斜シール部５の内縁５０は、包装袋１の外縁に向かって凸状に湾曲した曲線区間５１と、曲線区間５１の開封終端側の端部５ｂに連続した直線区間５２とを有する。曲線区間５１は、例えば、円弧形状を有する。また、直線区間５２は、曲線区間５１の端部５ｂでの接線方向に延長されている。
傾斜シール部５の内縁５０が包装袋１の外縁に向かって凸状に湾曲した曲線区間５１を有するため、開封終端側シール部４に傾斜シール部５を設けることによる包装袋の容量の減少が抑制される。
【００２０】
そして、傾斜シール部５は、傾斜シール部５の内縁５０に沿って、強圧シール帯７を有する。強圧シール帯７は、傾斜シール部５の他の部分よりも高い押圧力をかけてヒートシールされている。このため、強圧シール帯７は、後述するように、傾斜シール部５の当該強圧シール帯７以外の部分の肉厚よりも薄い肉厚を有する（図３（ｂ）〜図３（ｄ）参照）。
【００２１】
次に、図２を参照して、包装袋１を開封する際の、傾斜シール部５の内縁５０による破断線の誘導を説明する。
包装袋１を開封する際には、易開封部１０が形成された開封始端側シール部２から収納部３を通り開封終端側シール部４まで開封される。
具体的には、まず、易開封部１０よりも上側の部分を手指で開封終端側シール部４に向かって引っ張ることにより、易開封部１０から開封始端側シール部２が破断する。そして、易開封部１０よりも上側の部分が破断片となる。
【００２２】
さらに、破断片を図面右方向へ引っ張ると、収納部３で表フィルム１ａ及び裏フィルム１ｂがそれぞれ開裂し、表フィルム１ａの破断線（表破断線）１０ａと裏フィルム１ｂの破断線（裏破断線）１０ｂが開封終端側シール部４へ向かって延びていく。このとき、図２に示すように、表破断線１０ａと裏破断線１０ｂとが上下にずれる表裏ずれが発生することが多い。
【００２３】
図２に示す例では、裏破断線１０ｂが傾斜シール部５の内縁５０の曲線区間５１上の点Ａ１に先に到達する。点Ａ１に到達した裏破断線１０ｂは、傾斜シール部５の内縁５０に形成された強圧シール帯７に沿って誘導されて進行する。
【００２４】
強圧シール帯７は、傾斜シール部５の他の部分よりも高い押圧力をかけてヒートシールされているため、傾斜シール部５の他の部分よりも強固にシールされている。このため、強圧シール帯７の内部へは、傾斜シール部５の他の部分よりも破断線の進行が困難である。これにより、包装袋の開封時に、破断線が強圧シール帯の内縁に沿ってより確実に誘導される。
【００２５】
次いで、傾斜シール部５の内縁５０に沿って進んできた裏破断線１０ｂは、傾斜シール部５の内縁５０上の点Ａ２で、表破断線１０ａと合流する。その結果、点Ａ２から破断線１０ｃが終端側シール部４を進み、破断片が切り離される。
【００２６】
（製造方法）
次に、包装袋１の製造方法、及び包装袋１の製造に用いる押圧部材としてのシールバーの本実施形態を説明する。
本実施形態の包装袋１は、トップシール部６を形成するトップシール工程、及び開封始端側シール部２及び開封終端側シール部４を形成するサイドシール工程を含む従来の製造工程に加えて、包装袋１のコーナーに傾斜シール部５を形成するコーナーシール工程と、傾斜シール部５の内縁に沿った部分を、押圧部材によって、傾斜シール部５の他の部分よりも高い押圧力をかけてヒートシールして、傾斜シール部の他の部分よりも肉厚が薄い強圧シール帯７を形成する強圧シール工程とを有する。
なお、各シール工程は別工程でもよいし、組み合わせて同時に行ってもよい。
【００２７】
図３に、押圧部材としてのシールバーの断面形状とシール部の断面図を示す。なお、図３の各図では、傾斜シール部５の内縁５０の接線と直交する断面、即ち、強圧シール帯７の延在方向と直交する断面におけるシールバーの断面形状を模式的に示している。
まず、図３（ａ）に、コーナーシール工程において、傾斜シール部５を形成するためのシールバー９０の断面形状と、傾斜シール部５の断面図を示す。
同図に示すように、シールバー９０は、広い平坦な押圧面９０ａを有し、シールされた傾斜シール部５の肉厚は、収納部３の肉厚と同程度である。
【００２８】
次に、図３（ｂ）に、強圧シール工程において、強圧シール帯７を形成するためのシールバー９１の断面形状と、強圧シール帯７が形成された傾斜シール部５の断面図を示す。
同図に示すように、断面形状において、傾斜シール部５を形成するためのシールバー９０に押圧面の幅と比較して、強圧シール帯７を形成するためのシールバー９１の押圧面の幅が狭くなっている。即ち、シールバー９１の押圧面の面積が狭くなっている。このため、強圧シール帯７は、シールバー９１によって、傾斜シール部５の他の部分よりも高い押圧力がかけられてシールされる。
【００２９】
その結果、図３（ｂ）に示すように、強圧シール帯７の肉厚は、傾斜シール部５の当該強圧シール帯７以外の部分の肉厚よりも薄くなっている。また、ヒートシールにより強圧シール帯７から押し出されたシーラント樹脂が強圧シール帯７の内縁５０と外縁７ｂに沿って連なって溜まった内縁側突条部８０及び外縁側突条部８１が形成されている。
【００３０】
強圧シール帯７は、シールバー９１によって、傾斜シール部５の他の部分よりも強固にシールされているため、包装袋１の開封時に、破断線が強圧シール帯７の内縁５０に沿ってより確実に誘導される。
【００３１】
なお、図４（ａ）〜図４（ｃ）に示すように、強圧シール帯７を形成するシールバーの平坦な押圧面の断面形状における幅Ｗは、実験的に好適な値に設定することができるが、例えば、０．６ｍｍ〜１０．０ｍｍであることが好ましいが、１．０ｍｍ〜５．０ｍｍであることがより好ましい。押圧面の平坦部の幅Ｗが０．６ｍｍでは強圧シール帯を形成することができるが、押圧面の平坦部の幅Ｗが狭すぎるため、シールバーの強度上好ましくない。また、押圧面の平坦部の幅Ｗが１０．０ｍｍより広いと、強圧シール帯７の肉厚が薄くなりにくく、十分に押圧することが困難であるため、装置の押圧力をあげる改良が必要となる。
【００３２】
ところで、強圧シール帯７の外縁７ｂに沿った外縁側突条部８１は、傾斜シール部５内の段差部となって目立ってしまうため、包装袋１の外観上好ましくない。
このため、強圧シール帯７の外縁７ｂに沿って段差が抑制されることが好ましい。
【００３３】
そこで、図３（ｃ）に、強圧シール工程において、強圧シール帯７を形成するために改良したシールバー９２の断面形状と、強圧シール帯７が形成された傾斜シール部５の断面図を示す。
同図に示すシールバー９２は、強圧シール帯７を押圧する押圧面を有する押圧部材であって、押圧面は、強圧シール帯７の内縁５０に隣接する部分を押圧する平坦部９２ａと、平坦部９２ａに連続して設けられ、平坦部９２ａから離れるに従って平坦部９２ａよりも後退する傾斜部９２ｂとを有する。
同図に示すシールバー９２の傾斜部９２ｂは、平面状の押圧面を有している。
【００３４】
シールバー９２で包装袋１を押圧すると、まず、押圧面の平坦部９２ａだけで包装袋１が押圧される。続いて、シールバー９２が、包装袋１に沈み込むにしたがって、傾斜部９２ｂが、平坦部９２ａ側から徐々に包装袋１に接触していく。その結果、強圧シール帯７から外縁側へ押し出されたシーラントは、傾斜部９２ｂの沈み込みに従って徐々に更に外側へ押しやられる。これにより、強圧シール帯７の外縁に沿った段差を抑制し、外観の向上を図ることができる。
【００３５】
ところで、図３（ｃ）に示すように、シールバー９２の押圧面の平坦部９２ａと傾斜部９２ｂとの境界線９２ｃは角張っている。このため、強圧シール工程において、境界線９２ｃにより、強圧シール帯７の外縁７ｂに沿って、表フィルムの表層が損傷するおそれがある。
強圧シール帯７の外縁７ｂに沿って損傷があると、図５に示すように、強圧シール帯７を設けた包装袋１を開封する際に、点Ａ１から強圧シール帯７の内縁５０に沿って誘導されていた破断線が、途中の点Ｂで強圧シール帯７を跨いで、強圧シール帯７の外縁７ｂに沿って進んでしまうことがある。この場合、破断線１０ｂは強圧シール帯７によって誘導されているものの、強圧シール帯７での破断形状が不規則となり、外観上好ましくない。このため、破断線を強圧シール帯７の内縁５０に沿ってより確実に誘導することができることが望ましい。
【００３６】
そこで、図３（ｄ）に、強圧シール工程において、強圧シール帯７を形成するために更に改良したシールバー９３の断面形状と、強圧シール帯７が形成された傾斜シール部５の断面図を示す。
同図に示すシールバー９３は、強圧シール帯７を押圧する押圧面を有する押圧部材であって、押圧面は、強圧シール帯７の内縁５０に隣接する部分を押圧する平坦部９３ａと、平坦部９３ａに連続して設けられ、平坦部９３ａから離れるに従って平坦部９３ａよりも後退する傾斜部９３ｂとを有する。
【００３７】
同図に示すように、シールバー９３は、押圧面の延在方向に直交する断面において、傾斜部９３ｂは、楕円の全周の一部分（例えば、１／４周）の断面形状を有し、断面形状の平坦部９３ａと傾斜部９３ｂとの境界において、楕円の短軸が平坦部９３ａと直交する。楕円の短軸を平坦部９３ａと直交する断面形状とすることにより、傾斜部９３ｂの平坦部９３ａに隣接する部分をなだらかな傾斜にすることができる。
【００３８】
なお、図４（ｄ）〜図４（ｆ）に示すように、強圧シール帯７を形成するシールバーの平坦な押圧面の断面形状における幅Ｗは、実験的に好適な値に設定することができるが、例えば、０．６ｍｍ〜１０．０ｍｍであることが好ましいが、１．０ｍｍ〜５．０ｍｍであることがより好ましい。押圧面の平坦部の幅Ｗが０．６ｍｍでは強圧シール帯を形成することができるが、押圧面の平坦部の幅Ｗが狭すぎるため、シールバーの強度上好ましくない。また、押圧面の平坦部の幅Ｗが１０．０ｍｍ以上では、強圧シール帯７の肉厚が薄くなりにくく、十分に押圧することが困難であるため、装置の押圧力をあげる改良が必要となる。
また、傾斜部９３ｂの押圧面の断面形状における楕円は、例えば、長軸の半径が４ｍｍであり、短軸の半径が３ｍｍである。
【００３９】
シールバー９３で包装袋１を押圧すると、まず、押圧面の平坦部９３ａだけで包装袋１が押圧される。続いて、シールバー９３が、包装袋１に沈み込むにしたがって、傾斜部９３ｂが、平坦部９３ａ側から徐々に包装袋１に接触していく。その結果、強圧シール帯７から外縁側へ押し出されたシーラントは、傾斜部９３ｂの沈み込みに従って徐々に更に外側へ押しやられる。
これにより、図３（ｄ）に示すように、強圧シール帯７の外縁７ｂにおいて、包装袋１の肉厚が、強圧シール帯７から、傾斜シール部５の当該強圧シール帯７の外縁７ｂに隣接する部分へ、段差なく連続的に移行するので、強圧シール帯７の外縁に沿った段差をより抑制し、外観の更なる向上を図ることができる。
【００４０】
さらに、図３（ｄ）に示すように、ヒートシールヘッド９３の押圧面の平坦部９３ａと傾斜部９３ｂとが境界線９３ｃで円滑に連続しており、角張っていない。このため、強圧シール工程において、境界線９３ｃにより、強圧シール帯７の外縁７ｂに沿って、表フィルムの表層が損傷するおそれが少ない。これにより、包装袋１の開封時に、破断線が、図５に示したように強圧シール帯７の外縁７ｂに沿って誘導されて強圧シール帯７での破断形状が不規則となることが抑制される。
【００４１】
なお、上述した実施形態では、強圧シール工程において強圧シール帯７をヒートシールにより形成した例を説明したが、強圧シール工程はヒートシールに限定されない。
例えば、強圧シール工程において、ヒートシールされた傾斜シール部５の温度がシーラント樹脂の荷重たわみ温度よりも高い状態で、押圧部材によって、傾斜シール部５の他の部分よりも高い押圧力をかけて、強圧シール帯７を形成してもよい。その場合、押圧部材は、上述した実施形態と同じ押圧面の断面形状を有する、自身が加熱されていないシールバー（押型）であってもよい。また、押圧部材は、傾斜シール部５をヒートシールした後に、冷却部材として傾斜シール部５を押圧してもよい。
また、強圧シール工程における強圧シール帯７を形成するための押圧部材の、強圧シール帯７の内縁５０側の端縁を押圧する部分は、面取りしてあってもよいし、してなくてもよい。
【００４２】
以上、本発明の実施形態を説明したが、本発明は、上述した実施形態に限定されるものではなく、本発明の範囲で種々の変更実施が可能である。上述した実施形態では、ほぼ長方形の平面形状を有し、四方がヒートシールされた平パウチの包装袋の例を説明したが、本発明では、包装袋の形状はこれに限定されず、例えば、スタンディングパウチ、ガゼット付きパウチ、及び、折り返したフィルムの三方をシールした包装袋にも適用するができる。
また、本発明は、ピロー包装袋にも適用することができる。
【００４３】
また、包装袋の外縁は、対称軸線１１に対して対称であってもよいし、非対称であってもよい。また、包装袋の両側の外縁は、互いに平行に配置されてもよいし、非平行に配置されてもよい。例えば、包装袋の両側の外縁が互いに非平行であって、包装袋の平面形状が台形である場合には、その台形の中心線が縦方向に延びる対称軸線１１となる。
なお、開封仮想直線１２は、通常、対称軸線１１と直交する。
【００４４】
また、上述した各実施形態では、傾斜シール部の内縁の直線区間を、曲線区間の端点の接線方向に延ばした例を説明したが、直線区間は、曲線区間の端点で、曲線区間に対して屈折して接続してもよい。
また、傾斜シール部の内縁は、直線のみで構成してもよいし、曲線のみで構成してもよいし、曲線部分と曲線部分とを交互に配置してもよい。
【産業上の利用可能性】
【００４５】
本発明に係る包装袋は、食品を収容する包装袋の他、飲料又は医薬品を収容する各種包装袋にも適用することができる。
【符号の説明】
【００４６】
１  包装袋
１ａ  表フィルム
１ｂ  裏フィルム
１０  易開封部
１１  対称軸線
１２  開封仮想直線
１０ａ  表フィルムの破断線（表破断線）
１０ｂ  裏フィルムの破断線（裏破断線）
１０ｃ  開封終端側シール部の破断線
２  開封始端側シール部（第１辺のシール部）
３  収納部
４  開封終端側シール部（第２辺のシール部）
５  傾斜シール部
５０  内縁
５１，５３，５５  曲線区間
５２、５４、５６  直線区間
６  トップシール部
６ａ  トップシール部の下縁
７  強圧シール帯
７ｂ  強圧シール帯の外縁
８０  内縁側突条部
８１  外縁側突条部
９０，９１，９２，９３  シールバー
９２ａ，９３ａ  平坦部
９２ｂ  直線形状の傾斜部
９２ｃ，９３ｃ  境界線
９３ｂ  楕円形状の傾斜部
【図１】
2020055588.tif 000003
【図２】
2020055588.tif 000004
【図３】
2020055588.tif 000005
【図４】
2020055588.tif 000006
【図５】
2020055588.tif 000007
【図６】
2020055588.tif 000008
【図７】
2020055588.tif 000009
【図８】
2020055588.tif 000010